【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
音声をマイクで増幅してフィルターで音声の高調波とか余分な成分を除去し、アナログ／ディジタルコンバーターで数値価し、更に音声を文字変換する為、発音速度が個体差によって異なる為、定義処理する音声文字変換処理の前に一音毎の音声の句間検知して例えば１個又は複数のランダムアクセスメモリを複数並列接続して複数のランダムアクセスメモリに逐次入力して検出回路により、一音毎の句間複数のランダムアクセスメモリに逐次入力して、入力と出力の時タイミングパルスを切り換えて出力を数万倍にして、演算処理速度に切り換える、ここでランダムアクセスメモリ回路と電子スイッチ一部含む周辺回路は入出力速度変換回路である、複数の例えばランダムアクセスメモリを複数並列接続して一個ずつ交互に入力して、発音の音声文字化定義処理の処理速度と同一にして、これにより音声数値価パターン認識の演算回数を多数回にできる事により発音の個体差、個人毎の発音の速度の違いにも対応できる定義処理とする、そして更に発音の認識できない語に対してタッチパネルディスプレイにて手書入力によって訂正入力できる。
【請求項２】
音声入力自動化パソコンを自動化にする為にソフトウエアプログラミングの設定やインストールの為の従来のソフトウエアプログラミングのキー操作手続手順を記憶素子に記憶させ逐次発信出力してパソコンとやり取り自動化して簡易にする事が実行できる、これに依りパソコンのソフトウエア等の設定やインストール等が簡易に成る、そしてデータ等のインストールも同様に簡易に成る。
【請求項３】
音声入力文字化パソコンで、コンピュータウイルスや何等の原因でソフトウエアプログラミングが壊れて、音声入力文字化パソコン動作しなくなった時、強制的にソフトウエアプログラム及びデータ等、記憶装置から記憶を消去し、又は強制的に読み出しを行い、更に暗証等を忘れる又は間違って不明に成った時、強制的に読み出す電子回路即ちハードディスク記憶装置などを動作させるマイクロプロセッサユニットを切り離し、論理回路に強制消去又は読み出しの命令語又はプログラムを組み入れておき、消去信号回路とハードディスク記憶装置制御回路をスイッチにより切り離し、接続を切り換えて強制消去又は強制の読み出しが行える事が出来る。
【手続補正２】
【補正対象書類名】明細書
【補正対象項目名】全文
【補正方法】変更
【補正の内容】
【発明の詳細な説明】
【発明の名称】音声入力文字化パソコン
【技術分野】
【０００１】  本発明は、キー操作を出来るだけ少なくし、簡易な操作で誰でも、音声入力、タッチパネルディスプレイによる手書き入力そして一部文章上の記号等キー手動操作で情報を入力できる音声入力文字化パソコンとソフトウエアプログラムの従来のキー手動操作入力を記憶素子に入力し記憶させキー手動操作と同様に発信する、ディジタル符号を記憶素子から発信して、ソフトウエアプログラムの設定やインストールの自動化と更にソフトウエアの壊れたもの、即ちコンピュータウイルスやビットエラーなどにより基本ソフトウエアプログラムが壊れると演算が出来ない、マイクロプロセッサユニットが動作しない為、ハードディスク記憶装置が作動しない、即ち全体が動かないものに対して強制的にインストール即ち消去、そして強制的に読み出しする為の電子回路に関する。
【背景技術】
【０００２】  従来の音声入力文字化補助装置は、タッチパネルディスプレイと音声文字化電子回路と組合せ、タッチパネルディスプレイの多様な機能を用いて発声の間違いの訂正と、誤変換の訂正を行い、音声入力文字化の欠点を補い、更に様々な機能を用い、音声入力文字化補助装置だけで出来ない部分を補っていた。【０００３】  従来の音声入力文字化パソコンの電子回路では定義処理と中央処理演算部又はマイクロプロセッサユニットと組合せる事により、音声文字化を定義処理で行っていたが入出力速度変換回路が無かった。【０００４】  従来のパソコンではソフトウエアプログラムの設定やインストール等又はデータのインストールはキーボードにより手動動作により行っていた。【０００５】  従来の音声入力文字化パソコンでは、ソフトウエアプログラムの設定やインストールはキー操作による手動で行っていた、そして一部電子回路を変える事による強制消去、強制読み出しが出来なかった。【特許文献１】特開平８−８３０７２
【特許文献２】特願２００１−０７７１８１
【発明の開示】
【発明が解決しようとする課題】
【０００６】  以上に述べた従来の音声入力文字化パソコンでは、単音毎の定義処理で、音声の文字化パターン認識を行い、ローマ字又は平仮名にて変換したが、人間の個体差や感情により、単音について述べると、単音の発声に早い遅いがあり、これも誤変換の原因と成っていた、この為誤変換や間違い又は発声の悪いものに対処する為手書入力により又はキーボード等で訂正を行っていた。【０００７】  音声入力文字化パソコンではソフトウエアプログラムの設定やインストールに対して、従来のキーボード操作によって逐次ディジタル符号発信して、ソフトウエアプログラムの設定やインストールのキーボード操作にて実行していたが、しかしながら基本ソフトウエアプログラムや各種ソフトウエアなどがコンピュータウイルスやビットエラー等の不測の出来事により壊れた時、基本ソフトウエアプログラムや各種ソフトウエアプログラムが動作しなくなる。【０００８】  又、従来のパソコンの記憶部、具体的にはハードディスク記憶装置に、コンピュータウイルス等がパソコン内ＭＰＵ部とＲＡＭ部に侵入して、爆発してしまうとハードディスク記憶装置に意味不明な物が書き込まれ基本ソフトウエア部迄破壊されインストールが出来なかった、又暗証番号を忘れると読み出しが行えなかった。
【課題を解決するための手段】
【０００９】  上記目的を達成するために、本発明は音声をマイクで増幅してフィルターで音声の高調波とか余分な成分を除去し、アナログ／ディジタルコンバーターで数値価し、更に音声を文字変換する為、発音速度が個体差によって異なる為、そこで音声入力文字化の処理の前にランダムアクセスメモリと発音の一音毎の発声の句間検知して複数のランダムアクセスメモリを複数並列に接続して逐次電子スイッチ等で切り換えて、ランダムアクセスメモリの入力速度と出力速度をタイミングパルスを電子スイッチで切り換えて入出力速度を切り換え定義処理速度迄速度を上げ、定義処理即ち下位コンピュータの処理速度に出来る事から処理回数と音声又は単音毎のサンプリング数を増やせる事から誤変換が少なくなる、これに依り発音の個体差、個人毎の発音の速度の違いにも対応できる定義処理とする、そして更に発音の認識できない語に対してタッチパネルディスプレイにて手書き入力によって訂正入力ができ、またこのタッチパネルディスプレイは様々な機能を有する事から、様々な使用もできる、そして文章上の句読点がカッコやスラッシュ、数字他記号などは発音入力よりもキー入力の方が速い為、キー入力を設けてもよい、以上のように音声入力文字化パソコンを構成している。【００１０】  音声をマイクで集音して、アナログ／ディジタルコンバーターで数値価即ちディジタル符号化して、従来は定義処理にて処理したが、ディジタル符号の定義処理への入力速度或いは入力時間が逐次入力の為、遅かった。その解決としてランダムアクセスメモリを複数並列として、一音の句間で一音の検知を行い、ランダムアクセスメモリには逐次入力し、検出回路により、入出力速度変換回路、スイッチ素子により、ランダムアクセスメモリへの一音毎のディジタル符号を逐次入力し、入出力速度変換回路により、交互に一音毎の出力速度を例えば数万倍にすると、定義処理即ちコンピュータの演算処理は高速の為、その高速処理に同期されて演算すると、処理回数が従来より多くなる、更にタッチパネルディスプレイを組み合わせる事により発音の言い間違い、又は吃音者などに対して、手書き入力より発音の訂正でなく、手書き入力訂正が出来、タッチパネルディスプレイにて手書き入力で対応処理したものを提供できる。【００１１】  請求項２の音声入力文字化パソコンを自動化にする為にソフトウエアプログラムの設定やインストールの為の従来のソフトウエアプログラムのキー操作手続手順を記憶素子に記憶させパソコン内ＭＰＵと論理回路を通して記憶素子に入力してある基本ソフトウエアやデータ等の設定やインストールの手続手順を記憶素子内に記憶して有るインストール等の手続手順ディジタル符号を論理回路を通してパソコン内ＭＰＵと送受信して、データや基本ソフトウエア等のインストールを行い、又基本ソフトウエアの設定も出来る。【００１２】  請求項３の音声入力文字化パソコン、又は従来のパソコン等でコンピュータウイルスや何等の原因でソフトウエアプログラミングが壊れて、動作しなくなった時、強制的にソフトウエアプログラミングを消去し、更に暗証等を忘れる又は間違って入力し不明に成った時、強制的に読み出す電子回路即ちハードディスク記憶装置などを動作させるマ���クロプロセッサユニットを切り離し、論理回路にて強制消去する。強制読み出しの暗証番号等をジャンプする命令語又はプログラムを入れておき読み出せる、そして消去信号回路とハードディスク記憶装置制御回路をスイッチにより接続動作させる事により、強制消去、読み出しを行う事が出来る事で音声入力文字化パソコンを構成している。【００１３】  音声入力文字化パソコン又は従来のパソコンで、基本ソフトウエアプログラム又はソフトウエアプログラムがコンピュータウイルス、ビットエラー等何等の原因で動作不良に成った時、ハードディスク記憶装置など動作させるマイクロプロセッサユニットとランダムアクセスメモリをスイッチで切り離し、パソコン内電子回路構成を変え、ハードディスク記憶装置周辺回路を独立させ、ハードディスク記憶装置とハードディスク記憶装置制御回路と、強制消去、強制読み出しの為の命令語を入れた論理回路をスイッチで動作させ、強制消去、強制読み出しなどでデータが読み出せる、但し強制読み出しは単にハードディスク記憶装置からデータ等全て、又暗証等も全て、複製する為に暗証を飛び越え様ソフトウエアプログラムに暗証の前後、例えば記号、文字を前後に複数いれ、これを認識し、暗証を飛び越える必要がある。【００１４】  音声入力文字化パソコンでは取り扱いをより簡易にする為、基本ソフトウエアにも変える必要がある、基本ソフトウエアプログラムの最初のページを見開き１とし、これをスタートページにする、そして見開き２にて複数の各個独立した基本ソフトウエアを並べて、一つでの基本ソフトウエアの上に上部ソフトウエアプログラムの題名を書き込める様に挿入した上部ソフトウエアを解りやすくする、そして実行と、元に戻るの二つを解りやすくディスプレイし画面上に入れ、実行と元に戻るをアイコン又はポインターなどでクリックすると、目的の上部ソフトウエアの実行し、上部ソフトウエアにも更に先に進む為の実行と元に戻るを入れ同一パターンで使用できる様にする。【００１５】    ソフトウエアプログラムを、見開きページ２で、ディスプレイ画面で、Ｓ１〜Ｓ４のソフトウエアプログラムの題名を表示し、これを数回に分けて、１番目Ｓ１〜Ｓ４タイトル、そして例えば次画面で同様に表示し、見開きページが４回目で最初に戻る、垂直と水平の二種で構成してこれは人間のアナログ要素の思考によるものである、そして上部ソフトプログラムに導入していくと、目的の仕事をするための題名をクリックすると直接そのプログラムになるが、間違った時に戻すのが困難だった。目的の仕事の題名を表示して、更に間違った時には元に戻る、プログラムの前の画面に戻る、これも人間のアナログ要素に合わせる事により簡易に成る事により音声入力自動化パソコンの取扱が簡単に出来る。
【発明の効果】
【００１６】  上述したように本発明では音声をマイク１で集音してアンプ２で増幅してフィルター３で音声の高調波とか余分な成分を除去して、アナログ／ディジタルコンバーター４で数値価して、更に音声を文字変換するそして発音速度が個体差によって異なる為、定義処理９する音声文字変換処理する前に、一音毎の音声の句間検知回路又は検出回路７にて句間検知して複数のランダムアクセスメモリ６ａ、６ｂに一音毎逐次交互に入力して、入力と出力の時タイミングパルスを高速出力回路８より入力の時の速度と出力速度をタイミングパルスを高速出力回路８よりタイミングパルスを切り換えてタイミングパルス数万倍して出力を数万倍にして、定義処理９の演算速度にして演算回数を増やせ、一音毎のサンプリング回数も増やせる、ここでランダムアクセスメモリと６ａ、６ｂと電子スイッチと句間の検出回路７と高速出力回路８とで成り立つ回路は入出力速度変換回路２３である、複数のランダムアクセスメモリを複数並列接続して電子スイッチ５ａ、５ｂにて複数のランダムアクセスメモリにて複数交互に逐次入力して、発音のディジタル符号とサンプリング量を多く出来同時に、数値を定義処理に同期して、これにより音声数値価パターン認識の演算回数を多数回できる事により、個体差、個人毎の発音の速度の違いにも対応できる定義処理９とする、そして更に発音の認識できない語に対しタッチパネルディスプレイにて手書き入力によって訂正が出来る、またこのタッチパネルディスプレイは様々な機能を有する事から、様々な使用もできる、そして文章上の句読点やカッコやスラッシュ、数字他記号など発音するよりもキー１１入力の方が早い為、キー１１を設ける。【００１７】  上述した様にマイク１から定義処理９迄は従来のキーボードに該当する、そして前記定義処理以降はＡ１、１２以降は従来のパソコン電子回路であるから従来の基本ソフトウエア、上部ソフトウエアが使用できる、更に後述するアナログ要素を盛り込んだ新しいＯＳソフトウエアにすると更に簡易に成る。【００１８】  図２の音声入力文字化パソコンを取り扱いを簡易にする為に基本ソフトウエアや上部ソフトウエアの設定やインストールの為の従来のキー操作手続手順を記憶素子１７に記憶させ逐次発信させやり取りしパソコン内部論理回路１６を介してＭＰＵ１４とやり取りして自動化して簡易に実行でき、基本ソフトウエアや上部ソフトウエアの設定やインストール等が簡易に操作できる。【００１９】  図３の音声入力文字化パソコンでコンピュータウイルスや他暴力ソフトウエア等で何等かの原因でソフトウエアプログラミングが壊れ音声入力文字化パソコンが動作しなくなった時、強制的にソフトウエアプログラム及びデータ等、ハードディスク記憶装置２０とＲＡＭ２２等を電子スイッチ５ｉ、５ｊ等で一部電子回路をＭＰＵ１４とハードディスク２０と切り離し消去回路１８とハードディスク記憶装置２０の制御回路１９と論理回路１６から電子スイッチ５ｉ、５ｊにて制御切り離し強制消去スイッチ２１によりハードディスクの記憶部２０の従来の磁気ヘッド等を作動させ消去回路１８から消去信号を出力して強制消去させる、更に暗証番号等を忘れ、不明に成った時、強制的に読み出す電子回路即ちハー���ディスク記憶装置２０などを動作させる図３のスイッチ２１にて動作させハードディスク記憶装置２０を電子スイッチ５ｉ、５ｊにてＭＰＵ１４とＲＡＭ２２から切り離し独立させ、又ハードディスク記憶装置２０を動作させる、制御回路１９を動作させハードディスク記憶装置２０を動かし、通常と別の読み出しラインＡ２にて出力する、そして本発明の効果を得る為、ハードディスク記憶装置２０消去回路１８、制御回路１９、論理回路１６以外の回路は電源、バックアップバッテリー等の電源を切り更に電子回路に残った残留電力を取り除く為シャント抵抗を入れ接地し残留電力を０にする。
【発明を実施するための最良の形態】
【００２０】  以下、本発明の実施形態図１〜図４に基づいて説明する。【００２１】  図１の音声入力文字化パソコンにおいてマイク１で集音してアンプ２で増幅してフィルター３で音声成分から余分な成分を取り除き、アナログ／ディジタルコンバーター４にて数値価し、単音の句間の無音に近い部分で一音を検出回路７にて検知して、複数の並列のランダムアクセスメモリ６ａ，６ｂに電子スイッチ５ａと５ｃそして５ｂと５ｄと単音毎の無音の句間の検出回路７からスイッチ素子５ａ又は５ｃのスイッチ素子を交互に接続して、ランダムアクセスメモリ６ａ，６ｂに単音毎のディジタル符号を交互に逐次入力して、更に高速出力回路８から定義処理９の処理速度又はタイミングパルスを高速出力回路８から送信して、高速出力回路８よりランダムアクセスメモリ６ａ，６ｂに送り、同時に定義処理９にて行う音声数値価パターン認識の為の、ディジタル符号を電子スイッチ５ｂ，５ｄにランダムアクセスメモリ６ａ，６ｂ出力タイミングに合わせる為、電子スイッチ５ｂ，５ｄに検出回路７から出力する為の指令を送り回路を開き同時に検出回路７から高速出力回路８に指令を送り、同時に高速出力回路８からランダムアクセスメモリ６ａ、６ｂに高速出力タイミングパルスを送り、音声をディジタル化した信号又は符号を数万倍の高速出力にして電子スイッチ５ｂ、５ｄ接続、切り離し指令信号を送る、そして定義処理９にて処理、演算して単音毎の音声入力変換を行う、そして音声文字化出力する。【００２２】  図１のタッチパネルディスプレイ１０にて発音の間違い、吃音、同音異語等に対して、対処する為、手書き入力が出来、且つ数字、文章上の記号他等はキーを設け、キー操作の方が早いのと、記号が増え発音が出来ない又は読めない人の為に、例えばカッコだけど数種類あり発音だけでは無理なものがある、しかしながら逆にキーボード１１のキーを増やすとキーを探すのが困難な為、タッチパネルディスプレイ１０にてタッチパネルディスプレイ機能変更キーにてタッチパネルディスプレイ１０の機能変更をして記号等を表示して、タッチして指定し実行入力できる。【００２３】  図２に示す本発明を実施する為、図１にて上述した音声入力文字化パソコンにては、単に音声による文字又は文章の入力だけではなく、ソフトウエアプログラムの設定やインストール等も簡易にする必要がある、その為図２の記憶素子１７にソフトウエアプログラムの設定やインストール等の従来のＣＤ等の記憶素子に入っているＣＤ読み出し機等を動作させ、ソフトウエアプログラムの設定など従来のキーボード操作同様の手続手順を記憶素子１７にディジタル符号を、図１のキーより実行指令して、論理回路１６にて記憶素子１７からディジタル符号送信して、論理回路１６を介して入出力インターフェイス通してＭＰＵ１４とやり取りして、本来のキー操作と同様のディジタル符号を送信やり取りして、基本ソフトウエアや上部ソフトウエア、データ等の設定やインストール等が行える。【００２４】  図３にてはパソコン内ハードディスク記憶装置２０を電子スイッチ５ｉ、５ｊにてスイッチ２１より指令を送り論理回路１６を介して電子スイッチ５ｉ、５ｊにて切り、ハードディスク記憶装置を独立して切り離し、��ードディスク記憶装置２０をＭＰＵ１４、ランダムアクセスメモリ２２から独立させ、スイッチ２１により論理回路１６を介して消去回路１８と、ハードディスク記憶装置２０を制御する、消去回路１８、制御回路１９等を動作させ強制消去が出来る、又強制読み出しの為にはスイッチ２１内にスイッチを２つ設け、２番目のスイッチにて論理回路１６を介して、消去回路１８を動作させず、制御回路１９を動作させハードディスク記憶装置２０を動作させ強制的に読み出しデータを出す、この時、暗証等を忘れた時の為、暗証の前後に記号、文字、数字等を入れ、暗証を認識してジャンプしておける様にしておき他のハードディスク記憶装置で読み出させる様にしておくと強制読み出しが出来る、更に強制消去を実行する為に、ハードディスク記憶装置２０周辺回路を独立させたが、他のＭＰＵ１４ランダムアクセスメモリ２２等の回路からバックアップバッテリー等の電源を切り、更に残留電力に対処する為シャント抵抗などで残留電力を０にする必要がある。【００２５】  図４には音声入力自動化パソコンを実施するにあたり、基本ソフトウエアプログラムに簡易さが要求される、その為一つづつの基本ソフトウエアプログラムを独立させ、同一の使用方法にして同一のパターンの繰り返しして、図４の見開き１、２３スタートページにし、実行又は画面上のアイコン、ポインター等でクリックして見開き２、２４にするとＳ１、２７〜Ｓ４、２７の目的のプログラムと使用するプログラムの題名がＳ１、２７〜Ｓ４、２７迄で出て、自分のその時の使用するプログラムを題名の中から探しアイコン、ポインターなどで指定してクリック、又は実行にして使用する、そして実行と見開きに戻る、元に戻るのと、即ち実行と元に戻るを画面上に入れておく、これにより同一の使用方法のパターンは基本的に変わらず、一つの使用を覚えれば全て同一で簡易に使用できる、尚、見開き２、１７見開き３、１７も同様に同一パターンで使用できる。
【産業上の利用可能性】
【００２６】  本発明は音声入力自動パソコンを製造する産業で利用される。
【図面の簡単な説明】
【００２７】
【図１】本発明を実施する為の最良の第一の形態のブロック図及び一部電子回路図。
【図２】本発明を実施する為の最良の第一の形態の図１の続く電子回路ブロック図。
【図３】本発明を実施する為の強制消去と強制読み出しのブロック図。
【図４】本発明を実施する為の第一の形態を補助するためのフローシート図。
【符号の説明】
【００２８】  １   マイク  ２   アンプ  ３   フィルター  ４   アナログ／ディジタルコンバーター  ５ａ 電子スイッチ  ５ｂ 電子スイッチ  ５ｃ 電子スイッチ  ５ｉ 電子スイッチ  ５ｊ 電子スイッチ  ６ａ ランダムアクセスメモリ  ６ｂ ランダムアクセスメモリ  ７   検出回路  ８   高速出力回路  ９   定義処理  10   タッチパネルディスプレイ  11   キーボード  12   図１の回路  13   入出回路  14   ＭＰＵ  15   ディスプレイ  16   論理回路  17   記憶素子  18   消去回路  19   制御回路  20   ハードディスク記憶装置  21   スイッチ  22   ランダムアクセスメモリ  23   入出速度変換回路  24   基本ソフトウエアスタートページ  25   基本ソフトウエアのそれぞれの題名ページ  26   基本ソフトウエアのそれぞれの題名ページ  27   基本ソフトウエアのそれぞれの題名ページ  28   基本ソフトウエア
【手続補正３】
【補正対象書類名】図面
【補正対象項目名】全図
【補正方法】変更
【補正の内容】
【図１】
2006337970.tif 000001
【図２】
2006337970.tif 000002
【図３】
2006337970.tif 000003
【図４】
2006337970.tif 000004